(57)【要約】【課題】コンテンツの流通を促進する際に、従来は、コンテンツ提供者に対するインセンティブのみ考慮され、提供されたコンテンツの評価者に対するインセンティブは何ら考慮されていなかった。【解決手段】センタサーバ１０４が、コンテンツに対する評価（アンケート）を実施した利用者の利用者ＩＤを利用者端末（１０２）から受信して、インセンティブ計算プログラム１０７が、受信した利用者ＩＤの個数つまりアンケート回答回数に従った報酬を計算する。【選択図】  図１
2005044006.tif 000002
【特許請求の範囲】
【請求項１】
コンテンツを複数の端末で共用するコンテンツ共用方法において、
コンテンツ登録者の登録端末から送信される登録を希望するコンテンツを含むコンテンツ登録依頼をセンタサーバが受信し、
前記センタサーバは、前記コンテンツと前記コンテンツ登録者を対応付けて登録し、
前記センタサーバは、コンテンツ利用者の利用端末から送信されるコンテンツの利用要求に該当するコンテンツを特定して、前記利用端末に特定されたコンテンツを配信し、
前記利用端末からの配信されたコンテンツに対する評価を、前記センタサーバが受付け、
前記センタサーバは、前記コンテンツ登録者と前記評価に対応する登録数値を対応付けて登録し、
前記登録数値の累積値を算出して、前記累積値に基づいて前記コンテンツに関するインセンティブを算出することを特徴とするコンテンツ共用方法。
【請求項２】
請求項１に記載のコンテンツ共有方法において、
前記コンテンツ利用者と前記評価を行ったことに対する評価数値を対応付けて登録し、
前記登録数値および前記評価数値の累積値を算出して、前記インセンティブを算出することを特徴とするコンテンツ共有方法。
【請求項３】
請求項１に記載のコンテンツ共有方法において、
前記インセンティブは、前記累積数値に比例する金額を示す金銭であることを特徴とするコンテンツ共有方法。
【請求項４】
請求項１に記載のコンテンツ共有方法において、
前記インセンティブの上限値を記録しておき、
前記累積数値に対応するインセンティブが前記上限値を越えるか否かを判断して、越える場合前記上限値をインセンティブとすることを特徴とするコンテンツ共有方法。
【発明の詳細な説明】
【０００１】
【発明の属する技術分野】
本発明は、プログラムを含む電子的なデータであるコンテンツの流通もしくは共用を促進するための技術に関する。
【０００２】
【従来の技術】
従来、コンテンツの共用を促進するために、コンテンツ提供者にインセンティブを与えるものがある（特許文献１参照）。特許文献１では、コンテンツ提供者が提供したコンテンツに対する評価を受け付け、この評価に基づいて、コンテンツ提供者に対する報酬の額を計算している。
【０００３】
【特許文献１】
特開２００２−３６６８４４号公報
【０００４】
【発明が解決しようとする課題】
特許文献１では、閲覧者が評価することになっている。しかし閲覧者が評価することに対するインセンティブについては何ら考慮されていない。また、特許文献１では、コンテンツ提供者のみに報酬が支払われる。つまり、コンテンツの利用者に対するインセンティブについては、何ら考慮されていない。このため、閲覧者が評価を必ずしも行わないとの問題が生じる。これにより、コンテンツ提供者への報酬が計算できず、コンテンツの共用を促進できないとの課題が生じる。
【０００５】
【課題を解決するための手段】
上記課題を解決するため、本発明では、コンテンツの利用者に対して、利用したコンテンツを評価した量に応じたインセンティブのための数量（例えば、報酬の金額）を計算する。本発明のコンテンツ共用方法および装置では、まず、コンテンツ登録者の端末からコンテンツ登録依頼があった場合、それに応じ当該コンテンツをセンタサーバに登録する。次に、コンテンツ利用者の端末からセンタサーバに対し、前記登録されたコンテンツ配信要求があった場合、それに応じ当該コンテンツを利用者端末へ配信する。次に、コンテンツ利用者の端末からセンタサーバに対し、前記配信されたコンテンツに対する評価登録依頼があった場合、それに応じその評価をセンタサーバに登録する。そして、前記登録されたコンテンツ評価の数量から、コンテンツ利用者に対するインセンティブを計算する。
【０００６】
【発明の実施の形態】
以下、本発明の実施の形態を、図面を用いて説明する。
図１に、本実施の形態のシステム構成図を示す。ＰＣや携帯電話などの利用者端末１０（−１、２）は、本実施の形態における主たる処理を実行するセンタサーバ１０４とネットワーク１０３を介して、接続される。センタサーバ１０４は、コンテンツ登録・配信プログラム１０５、アンケート解析・登録プログラム１０６、インセンティブ計算プログラム１０７を有し、データベース１０８と接続している。データベース１０８は、コンテンツテーブル１０９、利用者テーブル１１０、アンケートテーブル１１１、インセンティブテーブル１１２を有している。また、利用者端末１０（−１，２）およびセンタサーバ１０４は、プログラムに従い所定の処理を行うコンピュータで実現可能である。次に、図２および図３に示すフローチャートを用いて、本実施の形態の処理内容を説明する。本実施の形態には、大きく分けて「登録処理」、「配信処理」、「アンケート処理」、「インセンティブ処理」がある。
【０００７】
まず登録処理について、図２を用いて説明する。登録処理とは、利用者端末がコンテンツを共用するために、利用者の入力を通じて、センタサーバにコンテンツと付帯する情報を送信し、センタサーバが、送信されたコンテンツを検索、配信できるように、送信されたコンテンツおよび付帯する情報を保存する処理である。
【０００８】
登録処理においては、まず、ステップ２０１において、利用者端末からのコンテンツ登録要求を行う。利用者端末１０１は、コンテンツを登録する利用者の入力によって、コンテンツを登録する利用者の利用者ＩＤ（１０００）、コンテンツの登録を要求するカテゴリ（Ａ）、登録するコンテンツをセンタサーバ１０４に送信する。コンテンツの例としては、プログラム、静止画像、音声、動画、文章が挙げられる。なお、本実施例ではコンテンツの本体を送信しているが、コンテンツの位置を指し示す情報を送信するとしてもよい。
【０００９】
次に、ステップ２０２において、利用者端末から受信したコンテンツを含む情報の登録を行う。センタサーバ１０４は、利用者端末１０１より送信されたコンテンツ、利用者ＩＤ（１０００）、カテゴリ（Ａ）を受信する。センタサーバ１０４は、コンテンツ登録・配信プログラム１０５を起動して、受信したコンテンツと、受信した利用者ＩＤ（１０００）と、受信したカテゴリ（Ａ）と、コンテンツを識別するコンテンツＩＤ（０００１）と、配信件数の初期値（０）と、アンケートポイントの初期値（０）を、コンテンツテーブル１０９に登録する。
以上で、登録処理を終了する。
【００１０】
次に、配信処理について、図３を用いて、説明する。配信処理とは、利用者端末が、共用されているコンテンツを利用したい利用者の入力を通じて、センタサーバにコンテンツの配信を要求し、センタサーバが要求されたコンテンツを利用者端末へ配信する処理である。
【００１１】
まず、ステップ３０１において、コンテンツの配信要求を行う。利用者端末１０２が、コンテンツを利用したい利用者の入力を通じて、利用したいコンテンツのコンテンツＩＤ（０００１）を、センタサーバ１０４に送信する。なお、利用者端末１０２が利用したいコンテンツのコンテンツＩＤを取得する方法としては、例えば、センタサーバ１０４が、コンテンツ名またはコンテンツ名の一部からコンテンツＩＤを検索するプログラムを利用者端末に公開し、利用者端末１０２が、検索プログラムを利用してコンテンツＩＤを特定する方法がある。
【００１２】
次に、ステップ３０２において、コンテンツの配信を行う。センタサーバ１０４が、コンテンツ登録・配信プログラム１０５を起動して、利用者端末１０１より送信されたコンテンツＩＤ（０００１）をキーとして、コンテンツテーブル１０９からコンテンツを検索し、該当するコンテンツを利用者端末１０２に配信する。
【００１３】
次に、ステップ３０３において、配信したコンテンツの配信件数を増分する。コンテンツ登録・配信プログラム１０５が、コンテンツテーブル１０９のコンテンツＩＤ（１０００）の配信件数を、１件増分する。なお、本処理は、ステップ３０２の、配信するコンテンツのコンテンツＩＤを受け取ったタイミングで行ってもよい。
【００１４】
また、ステップ３０４において、利用者端末が、コンテンツの受信処理を行う。利用者端末１０２が、センタサーバ１０４から配信された、コンテンツＩＤ（０００１）で識別されるコンテンツを受信する。なお、ステップ３０３とステップ３０４は順不同である。
【００１５】
次に、ステップ３０５において、利用者端末１０２がコンテンツを用いた処理を行う。例えば、コンテンツがプログラムであれば、利用者端末１０２はプログラムに従い所定の処理を行い、コンテンツが画像であれば、利用者端末１０２は画像を表示するプログラムを利用して、例えばディスプレイ装置に表示する処理を行う。なお、コンテンツの利用は利用者端末１０２からコンテンツを転送した他の端末でもよい。以上で、配信処理を終了する。
【００１６】
次に、アンケート処理について、図３を用いて、説明する。アンケート処理とは、利用者端末が、コンテンツを利用した利用者の入力を通じ、アンケート回答情報をセンタサーバに送信し、受信したセンタサーバでアンケート回答情報を評価し、登録する処理である。なお、アンケートに回答するためには、アンケートを端末にする必要があるが、その方法として、例えばコンテンツ送付時にアンケートを同時に送付する方法や、センタサーバが、所定のアンケート入力フォームを用意したアンケート回答プログラムを公開し、それを端末から利用する方法がある。
【００１７】
まず、ステップ３０６において、アンケート回答情報の送信処理を行う。利用者端末１０２が、コンテンツを利用した利用者の入力を通じて、アンケート回答情報と、アンケート回答者の利用者ＩＤ（２０００）、アンケート回答の対象となるコンテンツＩＤ（０００１）をセンタサーバ１０４に送信する。なお、ここでは、利用者端末１０２からアンケート回答情報の送信を実行したが、センタサーバに接続可能な他のＰＣ端末や携帯電話からこれらの情報を送信してもよい。
【００１８】
次に、ステップ３０７において、アンケート回答情報の登録を行う。センタサーバ１０４が、アンケート評価・登録プログラム１０６を起動して、利用者端末１０２より送信されたアンケート回答情報、利用者ＩＤ（２０００）、コンテンツＩＤ（０００１）を受信し、アンケートテーブル１１０に登録する。
【００１９】
次に、ステップ３０８において、対象となるコンテンツにインセンティブのための評価ポイントを与えてよいか、アンケート回答情報の判定処理を行う。アンケート解析・登録プログラム１０６が、利用者端末１０１より送信されたアンケート回答情報を評価し、アンケートの対象であるコンテンツに評価ポイントを付与してよいかどうか、また、どれだけの評価ポイントを付与するのかを判定する。評価の方法として、例えば、「大変良い」、「良い」、「普通」、「悪い」、「大変悪い」と５段階の評価があったとき、順に５ポイント、４ポイント、３ポイント、２ポイント、１ポイントと与える方法や、「大変良い」と回答されたコンテンツに規定したポイント（例えば１ポイント）を付与する方法がある。
【００２０】
次に、ステップ３０９において、評価ポイントをコンテンツへ付与する。ステップ３０８でコンテンツに評価ポイントを付与すると判定された場合、アンケート評価・登録プログラム１０６が、コンテンツテーブル１０９から、アンケートの対象となったコンテンツのコンテンツＩＤ（０００１）を検索し、該当する行のアンケートポイントにステップ３０８で決定した評価ポイント（例えば１ポイント）を加算する。
【００２１】
次に、ステップ３１０において、アンケートに回答した利用者の、アンケート回答件数を増分する。アンケート評価・登録プログラム１０６が、利用者テーブル１１０からアンケート回答者の利用者ＩＤ（２０００）を検索し、該当する行のアンケート回答件数を１件増分する。以上で、アンケート処理を終了する。
【００２２】
次に、インセンティブ処理について、図３を用いて、説明する。インセンティブ処理とは、センタサーバが、コンテンツの配信件数やアンケートの結果から、利用者ごとのインセンティブを算出することである。ここで、インセンティブには、報奨金、ポイント（報奨金に類するものや評価点など）を含む。このため、インセンティブ処理には、インセンティブを所定のシステムに通知することが含まれる。この所定のシステムには、インセンティブを受け取る人間が使用するシステムが含まれる。また、インセンティブが報奨金を含む金銭の場合、所定のシステムには、インセンティブの支払処理を行うシステムが含まれる。この支払処理を行うシステムには、銀行のシステムが含まれる。
【００２３】
インセンティブ処理においては、まず、ステップ３１１において、インセンティブ算出の基礎となる、獲得ポイントの算出を行う。センタサーバ１０４は、ある期間、例えば四半期ごとに、インセンティブ計算プログラム１０７を起動して、利用者ごとの獲得ポイントを算出する。以下、図４を用いて具体例を示す。
【００２４】
まず、コンテンツ配信件数による獲得ポイントを算出する。初めに、コンテンツテーブル１０９の配信件数をカテゴリごとに合計する。カテゴリ１０９３と配信件数１０９４から、カテゴリ（Ａ）の合計配信件数は５件、カテゴリ（Ｂ）の合計配信件数は１０件である。そして、当該カテゴリの合計配信件数に対する、コンテンツの配信件数の割合を百分率で算出し、これをコンテンツの獲得ポイントとする。コンテンツＩＤ（０００２）のコンテンツの獲得ポイントは、コンテンツテーブル１０９から、４（配信件数）÷５（合計配信件数）×１００（％）で、８０ポイントとなる。そして、コンテンツ配信件数による獲得ポイントを、利用者ＩＤ単位で集計し、インセンティブテーブル１１２に登録する。利用者ＩＤ（２０００）のコンテンツ配信件数による獲得ポイントは、コンテンツＩＤ（０００２）の配信件数による８０ポイントと、コンテンツＩＤ（０００４）の配信件数による９０ポイントで、合計１７０ポイントとなり、このポイント（１７０）を今期獲得ポイント１１２２に、コンテンツ登録者の利用者ＩＤ（２０００）を利用者ＩＤ１１２１に登録する。既に同じ利用者ＩＤ１１２１に同じ利用者ＩＤが登録されている場合は、その行の今期獲得ポイント１１２２に獲得ポイントを加算する。次に、コンテンツのアンケート評価による獲得ポイントを算出する。初めに、コンテンツテーブル１０９の評価ポイントの合計値を算出する。コンテンツテーブル１０９から、評価ポイント１０９５の合計値は１０ポイントとなる。
【００２５】
そして、合計評価ポイントに対する、コンテンツの評価ポイントの割合を百分率で算出し、コンテンツの獲得ポイントとする。コンテンツＩＤ（０００２）のコンテンツの獲得ポイントは、コンテンツテーブル１０９から、１（評価ポイント）÷１０（合計評価ポイント）×１００（％）で、１０ポイントとなる。そして、アンケート評価による獲得ポイントを、利用者ＩＤ単位で集計し、インセンティブテーブル１１２に登録する。利用者ＩＤ（２０００）のアンケート評価による獲得ポイントは、コンテンツＩＤ（０００２）のアンケート評価による１０ポイント、コンテンツＩＤ（０００４）のアンケート評価による８０ポイントで、合計９０ポイントとなる。ここでポイントの算出を、合計評価ポイント以外の一定の数値を評価ポイントに掛け合わせることで算出してもよい。また、一定の数値でなく、対象者毎の数値や評価ポイントに応じた数値（例えば、評価ポイントが１〜１０ならば１０を掛け、１１以上の場合７を掛けるなど）してもよい。さらに、これらのコンビネーションも本実施例に含まれる。
【００２６】
さらに、本実施例には、評価ポイントがマイナスであることも含まれる。但し、この場合、累積値がマイナスになる場合は、下限値である０を下回らない構成としてもよい。つまり、コンテンツの登録者が金銭を支払うことをなくすようにする。また、コンテンツの利用者の１つのコンテンツに対するアンケート回数を、そのコンテンツの配信回数に対応した回数に制限することも本実施例に含まれる。例えば、配信回数と同じ回数をアンケート可能回数としてもよい。図示しないが、コンテンツＩＤおよびアンケートに回答した利用者ＩＤに、当該利用者ＩＤに配信した回数およびアンケートへの回答回数を対応付けて記憶する。つまり、当該利用者ＩＤへの配信およびアンケートへの回答を検知し、その都度、回数をカウントし、対応する領域に格納する。
【００２７】
また、アンケート回数をコンテンツあたり所定回数（例えば、１回）に制限してもよい。この場合、コンテンツＩＤおよびアンケートに回答した利用者ＩＤに、アンケート回答回数を対応付けて記憶しておき、これに基づいて制御を実行する。
【００２８】
インセンティブテーブル１１２の利用者ＩＤ１１２１を、利用者ＩＤ（２０００）で検索し、該当行の今期獲得ポイント１１２２に９０ポイントを加算する。この時点で、利用者ＩＤ（２０００）の獲得ポイントは２６０ポイントとなる。次に、利用者のアンケート回答件数による獲得ポイントを算出する。初めに、利用者テーブル１１０のアンケート回答件数の合計値を算出する。利用者テーブル１１０から、アンケート回答件数１１０２の合計値は５件である。そして、合計アンケート回答件数に対する、利用者のアンケート回答件数の割合を百分率で算出し、利用者の獲得ポイントとする。利用者（２０００）の獲得ポイントは、利用者テーブル１１０から、２（アンケート回答件数）÷５（合計アンケート回答件数）×１００（％）で、４０ポイントとなる。インセンティブテーブル１１２の利用者ＩＤ１１２１を、利用者ＩＤ（２０００）で検索し、該当行の今期獲得ポイント１１２２に４０ポイントを加算する。この時点で、利用者ＩＤ（２０００）の獲得ポイントは３００ポイントとなる。
【００２９】
ここで、獲得ポイントは、合計アンケート回答件数で、対象者のアンケート回答件数で割っているが、その他の手法を用いてもよい。アンケート回答件数に一定数値を掛け合わせて算出してもよい。また、一定の数値でなく、対象者毎の数値やアンケート回答件数に応じた数値（例えば、アンケート回答件数が１〜１０ならば１０を掛け、１１以上の場合７を掛けるなど）してもよい。さらに、これらのコンビネーションも本実施例に含まれる。
【００３０】
次に、ステップ３１２において、一定ポイント（ｘ）以上獲得した利用者のインセンティブを一律にする。このポイントは、システム内に記憶しておく。このステップで、限度を超えたインセンティブ支払を防ぐことができる。インセンティブ計算プログラム１０７が、インセンティブテーブル１１２から、今期獲得ポイント１１２２を確認し、獲得ポイントが一定以上（例えば１００ポイント以上）であれば、登録されているポイントを１００ポイントに変換する。図４の例では、インセンティブテーブル１１２の今期獲得ポイント１１２ａ２２が３００ポイントと１００ポイントを超えているので、１１２ｂ２２のように１００ポイントに変換する。
【００３１】
次に、ステップ３１３において、一定ポイント以下しか獲得していない利用者のインセンティブを０ポイントにする。このステップで、効果の薄い少額のインセンティブ支払を防ぐことができる。インセンティブ計算プログラム１０７が、インセンティブテーブル１１２から、今期獲得ポイント１１２２を確認し、獲得ポイントが一定未満（例えば２０ポイント未満）であれば、登録されているポイントを０ポイントに変換する。図４の例では、インセンティブテーブル１１２の今期獲得ポイント１１２ａ２３が１０ポイントで２０ポイント未満なので、１１２ｂ２３のように０ポイントに変換する。
【００３２】
次に、ステップ３１４において、先期にインセンティブを受け取った利用者のインセンティブを半分にする。このステップで、同じ人が多くのインセンティブを受け取り続けるのを防ぐことができる。インセンティブ計算プログラム１０７が、インセンティブテーブル１１２から先期獲得ポイント１１２３を確認し、獲得ポイントが０以上であれば、その利用者の今期獲得ポイントを半分にする。図４の例では、インセンティブテーブル１１２の先期獲得ポイント１１２ａ３１が６０ポイントで、利用者ＩＤ（１０００）の利用者は先期インセンティブを受け取ったことがわかるので、１１２ｂ２１のようにポイントを半減する。さらに、端数を削除する構成としてもよい。つまり、３５ポイントを算出した場合、５ポイントを削除し、３０ポイントとして、インセンティブを算出してもよい。
【００３３】
次に、ステップ３１５において、インセンティブ計算プログラム１０７が、インセンティブテーブル１１２の今期獲得ポイント１１２２に、一定の換金率（例えば１ポイントあたり５００円）を掛け、該当する利用者ＩＤをもつ利用者への支払処理を行う。支払処理の方法の例としては、給与システムと連携し、対象者と金額を給与システム側に渡す方法がある。なお、ここでインセンティブを現金、商品券や独自の割引ポイントとしてもよい。以上で、インセンティブ処理を終了する。
【００３４】
【発明の効果】
上述のように、本発明によれば、コンテンツ利用者に対するインセンティブが考慮され、コンテンツの共用を促進できる。
【図面の簡単な説明】
【図１】本発明の一実施例のシステム構成を示す図。
【図２】本発明の一実施例の登録処理の内容を示すフローチャート。
【図３】本発明の一実施例の配信処理、インセンティブ処理の内容を示すフローチャート。
【図４】本発明の一実施例で用いられるテーブルを示す図。
【符号の説明】
１０１および１０２…利用者端末、１０３…ネットワーク、１０４…センタサーバ、１０５…コンテンツ登録・配信プログラム、１０６…アンケート評価・登録プログラム、１０７…インセンティブ計算プログラム、１０８…データベース、１０９…コンテンツテーブル、１１０…利用者テーブル、１１１…アンケートテーブル、１１２…インセンティブテーブル。
【図１】
2005044006.tif 000003
【図２】
2005044006.tif 000004
【図３】
2005044006.tif 000005
【図４】
2005044006.tif 000006